(57)【要約】【課題】部分めっき装置におけるフープの位置決め装置に関するものであり、フープが変更となりピン穴の位置、及び径が変更になっても、容易にピンの位置、及び径を変更することができるものである。【解決手段】回転のつまみ１９ａ，１９ｂを回転させるとピン１ａ，１ｂをフープ３８の長手方向と直角方向に容易に動かすことができ、また、回転つまみ１３ａ，１３ｂを回転させるとピン１ａ，１ｂをフープ３８の長手方向に容易に動かすことができる。このような構成にすることにより、フープ３８が変更になりフープ３８のピン穴４０の位置が変更になっても、容易にピン１ａ，１ｂの位置を変更することができる。また、ピン１ａ，１ｂを変更すると容易にピン径を変更することができる構成をなしている。【選択図】図１
2006348355.tif 000002
【特許請求の範囲】
【請求項１】
被めっき体となるフープの長手方向と直角の方向の両側にある上記フープを位置決めする位置決めピンを有し、上記ピンの２本がそれぞれ独立した位置決め装置を有する部分めっき装置。
【請求項２】
位置決めピンがフープの長手方向に自由に調整できる機構を備えた位置決め装置を有する請求項１に記載の部分めっき装置。
【請求項３】
位置決めピンがフープの長手方向と直角方向に自由に調整できる機構を備えた位置決め装置を有する請求項１に記載の部分めっき装置。
【請求項４】
フープの位置決め用のピン穴径が変わっても、容易に位置決めピンを変更できる位置決め装置を有する請求項１に記載の部分めっき装置。
【発明の詳細な説明】
【技術分野】
【０００１】
本発明は、特に被めっき体となるフープに部分的にめっきを行う部分めっき装置におけるフープの位置決め装置に関するものである。
【背景技術】
【０００２】
図４は、部分めっきを行ったフープの概略図である。
【０００３】
図４において、３８はフープであり、３９はフープ３８上の一部にめっきを施した部分めっきエリアであり、４０はフープ３８に設けたピン穴である。このような部分めっきを行う装置を図５に示す。
【０００４】
図５は、部分めっき装置の概略図である。
【０００５】
図５において、２２はめっき液を入れておくリザーブタンク、２３は配管、２４はめっき液を送るポンプ、２５は配管、２６は部分めっきを行うための下側スパージャーで、フープ３８にめっきを行う部分のみ穴があけられ、部分めっきを行うようになっている。２７は配管、２８はめっき液を送るポンプ、２９は配管、３０は部分めっきを行うための上側スパージャーで、フープ３８にめっきを行う部分のみ穴があけられている。３２は配管、３３はシリンダー、３４はガイドで、シリンダー３３を動作させると、上側スパージャー３０が上下し、フープ３８を上側スパージャー３０と下側スパージャー２６で挟むようになっている。３５ａはフープを送るための送りローラで、モータ（図示せず）が取り付けられている。３５ｂはフープ３８を送りローラ３５ａで挟むための押えローラである。３６は位置決め装置、３７は筐体である。
【０００６】
次に、動作について説明する。まず、送りローラ３５ａを回転させてフープ３８を所定の量送り、位置決め装置３６でフープ３８を固定し、シリンダー３３を動作させ、上側スパージャー３０と下側スパージャー２６で挟み、ポンプ２４，２８を動作させ、下側スパージャー２６と上側スパージャー３０にめっき液を送り、電気エネルギーを印加してフープ３８の部分めっきエリア３９にめっきする。
【０００７】
従来、この種の部分めっき装置の位置決め装置は、図６、図７、図８に示されるような構成を有していた。
【０００８】
図６は従来の位置決め装置の平面図、図７は従来の位置決め装置の正面図、図８は従来の位置決め装置の側面図である。
【０００９】
図６、図７、図８において、４１はフープ３８のピン穴４０用のピンである。４２はブロック、４３はピン４１を上下するためのシリンダー、４４はブラケット、４５はピン４１をガイドするためのブロック、４６はプレート、４７はブロック、４８はブロック、４９はフープ受けで、プレート４６、ブロック４７，４８でフープ受け４９をガイドしている。５０はつまみで、このつまみ５０を回転させると、ピン４１をフープの長手方向に移動できる。５１はつまみ５０をロックさせるためのナット、５３はブロック、５２は引張ばねである。
【００１０】
動作について説明すると、シリンダー４３を動作させ、ピン４１を上下させ、フープ３８のピン穴４０にピン４１を入れ、フープ３８を固定するような構造になっていた。
【００１１】
なお、この出願の発明に関する先行技術文献情報としては、例えば、特許文献１が知られている。
【特許文献１】特許第２５５１５３１号公報
【発明の開示】
【発明が解決しようとする課題】
【００１２】
しかしながら、上記従来の構成では、部分めっき装置に投入するフープ３８のピン穴４０が位置変更、または、径変更になると位置決め装置３６の部品を交換する必要が発生するため、交換時間が必要である。また、余分な位置決め装置の部品が必要なため費用が高価になるという課題を有していた。
【００１３】
本発明は上記従来の課題を解決するもので、位置決め装置の部品の交換を不要にした位置決め装置を提供することを目的とするものである。
【課題を解決するための手段】
【００１４】
上記目的を達成するために、本発明は、特にピンをフープの長手方向とフープの長手方向に対して直角の方向に自由に調整できる機能とピンの径を容易に変更できる機能を備えた位置決め装置を有する部分めっき装置である。
【発明の効果】
【００１５】
本発明の位置決め装置を有する部分めっき装置は、ピンをフープの長手方向とフープの長手方向に対して直角の方向に自由に調整できる機能、及び、ピンの径を容易に変更できる機能を設けることにより、フープ形状が変更になりピン穴の位置変更、及び、径変更になっても、容易にピンの位置変更、及び、径変更を行うことができるため、位置決め装置を変更する時間が不要となる。また、余分な位置決め装置の部品が不要となるため装置費用を安くできるという効果を奏するものである。
【発明を実施するための最良の形態】
【００１６】
（実施の形態１）
以下、本発明の実施の形態１における部分めっき装置におけるフープの位置決め装置について、図面を参照しながら説明する。
【００１７】
図１は、本発明の位置決め装置の平面図、図２は、本発明の位置決め装置の正面図、図３は、本発明の位置決め装置の側面図である。
【００１８】
図１、図２、図３において、１ａ，１ｂはフープ３８のピン穴４０に入れるピン、２はピン１ａ，１ｂを取り付けるためのシャフト、３はピン１ａ，１ｂ、シャフト２を上下するためのシリンダー、４はシャフト２とシリンダー３を連結するブロック、５ａは圧縮ばね、５ｂは押え、ピン１ａ，１ｂがフープのピン穴４０に入らなかった時、圧縮ばね５ａは圧縮してピン１ａ，１ｂが逃げるようになっている。６はシャフト２をガイドするブロック、７ａ，７ｂはブラケット、９はルール、１０はレール９上を動くブロック、１１はブラケット、１２は位置決め装置を載置しているプレート、１３ａは回転つまみ、１４ａはねじであり、回転つまみ１３ａを回すとねじ１４ａが回転し、ブロック１８が動く。また、１３ｂは回転つまみ、１４ｂはねじであり、回転つまみ１３ｂを回すとねじ１４ｂが回転し、ブロック１８が動く。１５ａは回転つまみ１３ａを回転しないようにするためのつまみ、１５ｂは回転つまみ１３ｂを回転しないようにするためのつまみ、１６ａはフープ受け、１６ｂはフープが浮き上がらないようにするためのフープ押え、１７はねじ１４ａ，１４ｂのバックラッシュを取り除くための引張ばね、８はレール、１８はレール８上を動くブロック、１９ａは回転つまみ、２０ａはねじであり、回転つまみ１９ａを回すとねじ２０ａが回転し、ブロック１８が動く。また、１９ｂは回転つまみ、２０ｂはねじであり、回転つまみ１９ｂを回すとねじ２０ｂが回転しブロック１８が動く。２１ａは回転つまみ１９ａを回転しないようにするためのつまみ、２１ｂは回転つまみ１９ｂを回転しないようにするためのつまみ、２０はブラケット、２１はねじ２０ａ，２０ｂのバックラッシュを取り除くための引張ばねで構成されている。
【００１９】
以上のような構成において、回転つまみ１９ａ，１９ｂを回転させるとピン１ａ，１ｂをフープ３８の長手方向と直角方向に容易に動かすことができる。また、回転つまみ１３ａ，１３ｂを回転させるとピン１ａ，１ｂをフープの長手方向に容易に動かすことができる。また、ピン１ａ，１ｂを交換することによりピン径も容易に変更することができる。このような構成にすることにより、フープ３８が変更になりフープ３８のピン穴４０の位置、及び径が変更になっても、容易にピン１ａ，１ｂの位置、及び径を変更することができるため、位置決め装置を交換する時間が不要となる。また、余分な位置決め装置の部品が不要となるため費用が安価になるという効果が得られる。
【産業上の利用可能性】
【００２０】
本発明のフープの位置決め装置を有する部分めっき装置は、フープの位置決め用のピン穴、及び径が変更になっても、容易にピンの位置、及び径を変更することができるため、位置決め装置を交換する時間が不要となる。また、余分な位置決め装置の部品が不要となるため費用が安価になるため、各種の被めっき体を部分めっきする部分めっき装置などに有用である。
【図面の簡単な説明】
【００２１】
【図１】本発明の位置決め装置の平面図
【図２】本発明の位置決め装置の正面図
【図３】本発明の位置決め装置の側面図
【図４】部分めっきを行ったフープの概略図
【図５】部分めっき装置の概略図
【図６】従来の位置決め装置の平面図
【図７】従来の位置決め装置の正面図
【図８】従来の位置決め装置の側面図
【符号の説明】
【００２２】
１ａ，１ｂ  ピン
２  シャフト
３  シリンダー
４  ブロック
５ａ  圧縮ばね
５ｂ  押え
６  ブロック
７ａ，７ｂ  ブラケット
８  レール
９  レール
１０  ブロック
１１  ブラケット
１２  プレート
１３ａ，１３ｂ  回転つまみ
１４ａ，１４ｂ  ねじ
１５ａ，１５ｂ  つまみ
１６ａ  フープ受け
１６ｂ  フープ押え
１７  引張ばね
１８  ブロック
１９ａ，１９ｂ  回転つまみ
２０ａ，２０ｂ  ねじ
２１ａ，２１ｂ  つまみ
２２  リザーブタンク
２３  配管
２４  ポンプ
２５  配管
２６  下側スパージャー
２７  配管
２８  ポンプ
２９  配管
３０  上側スパージャー
３２  配管
３３  シリンダー
３４  ガイド
３５ａ  送りローラ
３５ｂ  押えローラ
３６  位置決め装置
３７  筐体
３８  フープ
３９  部分めっきエリア
４０  ピン穴
４１  ピン
４２  ブロック
４３  シリンダー
４４  ブラケット
４５  ブロック
４６  プレート
４７  ブロック
４８  ブロック
４９  フープ受け
５０  つまみ
５１  ナット
５２  引張ばね
５３  ブロック
【図１】
2006348355.tif 000003
【図２】
2006348355.tif 000004
【図３】
2006348355.tif 000005
【図４】
2006348355.tif 000006
【図５】
2006348355.tif 000007
【図６】
2006348355.tif 000008
【図７】
2006348355.tif 000009
【図８】
2006348355.tif 000010